(57)【要約】【課題】感度調節ツマミと該感度調節ツマミが挿入されるベース面の貫通孔との間から埃が侵入することを抑制でき、電子回路の故障を抑制することができる感度調節装置の取付構造を提供する。【解決手段】調節軸２０ａを回転させてセンサー１９の感度を調節する感度調節装置２０の調節軸２０ａに、調節軸２０ａと一体で回転する円筒形状の感度調節ツマミ２１を取り付け、ベース面に形成された円形の貫通孔９ａに感度調節ツマミ２１を挿入し、ベース面の表面から感度調節ツマミ２１の先端部を突出させる感度調節装置２０の取付構造であって、感度調節ツマミ２１におけるベース面の裏面側に配置される箇所に、貫通孔９ａよりも直径が大きい張り出し部２１ａを形成し、ベース面の裏面に、張り出し部２１ａの外周側を覆うリブ９ｂを形成したものである。【選択図】図９
2015178934.tif 000002
【特許請求の範囲】
【請求項１】
調節軸を回転させてセンサーの感度を調節する感度調節装置の前記調節軸に、該調節軸と一体で回転する円筒形状の感度調節ツマミを取り付け、
ベース面に形成された円形の貫通孔に前記感度調節ツマミを挿入し、前記ベース面の表面から前記感度調節ツマミの先端部を突出させる感度調節装置の取付構造であって、
前記感度調節ツマミにおける前記ベース面の裏面側に配置される箇所に、前記貫通孔よりも直径が大きい張り出し部を形成し、
前記ベース面の裏面に、前記張り出し部の側面部を覆うリブを形成したことを特徴とする感度調節装置の取付構造。
【請求項２】
前記張り出し部は、前記感度調節ツマミの外周部から径方向に突設された円板部と、該円板部における前記ベース面と対向する側の面に突設された円環状張り出し部と、を備え、
前記リブは、前記円環状張り出し部の外周側側面部を覆う第１のリブと、前記円環状張り出し部の内周側側面部を覆う第２のリブと、を備えていることを特徴とする請求項１に記載の感度調節装置の取付構造。
【請求項３】
前記感度調節ツマミの前記張り出し部に第１の突起を設け、
前記ベース面の裏面に、前記感度調節ツマミが所定の回転角度になったときに前記第１の突起と干渉する第２の突起を設け、
前記感度調節装置の前記調節軸の回転可能範囲が、該調節軸の許容最大回転角度以下に制限されていることを特徴とする請求項１又は請求項２に記載の感度調節装置の取付構造。
【請求項４】
前記ベース面の表面側における前記貫通孔の周囲に、感度調節に用いる目盛りを備えたことを特徴とする請求項１〜請求項３のいずれか一項に記載の感度調節装置の取付構造。
【請求項５】
両端が開口し、送風機の電動機が取り付けられた筒状の風洞と、
前記風洞の前面側の開口部の外周から半径方向に張り出すフランジ部と、
室内の環境を検知するセンサーと、
回転可能な調節軸を有し、該調節軸を回転させて前記センサーの感度を調節する感度調節装置と、
前記調節軸に取り付けられ、前記調節軸と一体で回転する感度調節ツマミと、
前記感度調節装置で感度調整後の前記センサーの出力信号に基づいて前記電動機の運転を行う運転制御部と、
を備え、
前記フランジ部をベース面として、請求項１〜請求項４のいずれか一項に記載の感度調節装置の取付構造が採用されていることを特徴とする換気扇。
【請求項６】
前記フランジ部を前面側から覆う化粧パネルを備え、
前記感度調節ツマミが外部から見えない構成になっていることを特徴とする請求項５に記載の換気扇。
【請求項７】
送風機の電動機と、
室内の環境を検知するセンサーと、
回転可能な調節軸を有し、該調節軸を回転させて前記センサーの感度を調節する感度調節装置と、
前記調節軸に取り付けられ、前記調節軸と一体で回転する感度調節ツマミと、
前記感度調節装置で感度調整後の前記センサーの出力信号に基づいて前記電動機の運転を行う運転制御部と、
を備え、
請求項１〜請求項４のいずれか一項に記載の感度調節装置の取付構造が採用されていることを特徴とする送風機。
【請求項８】
送風機の電動機と、
室内の環境を検知するセンサーと、
回転可能な調節軸を有し、該調節軸を回転させて前記センサーの感度を調節する感度調節装置と、
前記調節軸に取り付けられ、前記調節軸と一体で回転する感度調節ツマミと、
前記感度調節装置で感度調整後の前記センサーの出力信号に基づいて前記電動機の運転を行う運転制御部と、
を備え、
請求項１〜請求項４のいずれか一項に記載の感度調節装置の取付構造が採用されていることを特徴とする空気調和機。
【発明の詳細な説明】
【技術分野】
【０００１】
本発明は、感度調節装置の取付構造、並びに、この感度調節装置の取付構造を採用した換気扇、送風機及び空気調和機に関する。
【背景技術】
【０００２】
センサーにより室内の環境を検知して自動運転する装置（換気扇、送風機及び空気調和機）が提案されている。例えば特許文献１には、センサーにより室内の環境を検知して自動運転する換気扇が開示されている。また、近年では、センサーにより室内の環境を検知して自動運転する装置に対して、室内のさまざまな環境変化に対応して装置の自動運転を行いたいという要求が高まってきている。
【先行技術文献】
【特許文献】
【０００３】
【特許文献１】特開平０７−０４２９８２号公報
【発明の概要】
【発明が解決しようとする課題】
【０００４】
室内のさまざまな環境変化に対応して装置を自動運転させるには、周囲環境やユーザーのニーズに応じてセンサーの感度を調節する必要がある。このためには、センサーの感度を調節する感度調節装置が必要となる。しかしながら、センサーにより室内の環境を検知して自動運転する従来の装置を開示した文献（例えば特許文献１）には、感度調節装置の具体的な取付構造が開示されていない。このため、センサーにより室内の環境を検知して自動運転する従来の装置は、感度調節装置を設けた場合に以下のような問題点が発生する。
【０００５】
センサーの感度を調節する感度調節装置は、回転可能な調節軸を有し、該調節軸を回転させてセンサーの感度を調節する構成となっている。そして、調節軸の回転、つまりセンサーの感度調節を容易にするために、感度調節装置を例えば次のように取り付けることが考えられる。具体的には、感度調節装置の調節軸に該調節軸と一体で回転する感度調節ツマミを取り付け、ベース面に形成された貫通孔に感度調節ツマミを挿入してベース面の表面から感度調節ツマミの先端部を突出させることが考えられる。このとき、感度調節ツマミと該感度調節ツマミが挿入されるベース面の貫通孔との間には、隙間が形成されることとなる。このため、センサーにより室内の環境を検知して自動運転する従来の装置は、当該隙間から埃が侵入し、電子回路（例えば、センサーの出力結果に基づいて装置の運転及び停止を行う運転制御部が実装された電子回路等）が故障してしまうという問題点があった。また、センサーにより室内の環境を検知して自動運転する従来の装置は、感度調節装置の調節軸が許容最大回転角度よりも大きく回されて過負荷がかかり、感度調節装置が破壊されてしまうという問題点があった。
【０００６】
本発明は、上記の問題点の少なくとも１つを解決するためになされたものであって、感度調節ツマミと該感度調節ツマミが挿入されるベース面の貫通孔との間から埃が侵入することを抑制でき、電子回路の故障を抑制することができる感度調節装置の取付構造、並びに、この感度調節装置の取付構造を採用した換気扇、送風機及び空気調和機を提供することを第１の目的とする。
また、本発明は、感度調節装置の調節軸が許容最大回転角度よりも大きく回されて過負荷がかかることを防止でき、感度調節装置が破壊されてしまうことを防止できる感度調節装置の取付構造、並びに、この感度調節装置の取付構造を採用した換気扇、送風機及び空気調和機を提供することを第２の目的とする。
【課題を解決するための手段】
【０００７】
本発明に係る感度調節装置の取付構造は、調節軸を回転させてセンサーの感度を調節する感度調節装置の前記調節軸に、該調節軸と一体で回転する円筒形状の感度調節ツマミを取り付け、ベース面に形成された円形の貫通孔に前記感度調節ツマミを挿入し、前記ベース面の表面から前記感度調節ツマミの先端部を突出させる感度調節装置の取付構造であって、前記感度調節ツマミにおける前記ベース面の裏面側に配置される箇所に、前記貫通孔よりも直径が大きい張り出し部を形成し、前記ベース面の裏面に、前記張り出し部の側面部を覆うリブを形成したものである。
【０００８】
また、本発明に係る換気扇は、両端が開口し、送風機の電動機が取り付けられた筒状の風洞と、前記風洞の前面側開口の外周から半径方向に張り出すフランジ部と、室内の環境を検知するセンサーと、回転可能な調節軸を有し、該調節軸を回転させて前記センサーの感度を調節する感度調節装置と、前記調節軸に取り付けられ、前記調節軸と一体で回転する感度調節ツマミと、前記感度調節装置で感度調整後の前記センサーの出力信号に基づいて前記電動機の運転を行う運転制御部と、を備え、前記フランジ部をベース面として、本発明に係る感度調節装置の取付構造が採用されているものである。
【０００９】
また、本発明に係る送風機及び空気調和機は、送風機の電動機と、室内の環境を検知するセンサーと、回転可能な調節軸を有し、該調節軸を回転させて前記センサーの感度を調節する感度調節装置と、前記調節軸に取り付けられ、前記調節軸と一体で回転する感度調節ツマミと、前記感度調節装置で感度調整後の前記センサーの出力信号に基づいて前記電動機の運転を行う運転制御部と、を備え、本発明に係る感度調節装置の取付構造が採用されているものである。
【発明の効果】
【００１０】
本発明は、感度調節ツマミにおけるベース面の裏面側に配置される箇所に、貫通孔よりも直径が大きい張り出し部を形成し、ベース面の裏面に張り出し部の外周側を覆うリブを形成している。このため、本発明は、感度調節ツマミと該感度調節ツマミが挿入されるベース面の貫通孔との間から埃が侵入することを抑制でき、電子回路の故障を抑制することができる。
【図面の簡単な説明】
【００１１】
【図１】本発明の実施の形態１に係る換気扇の側面視の断面図である。
【図２】本発明の実施の形態１に係る換気扇の側面視の正面図である。
【図３】本発明の実施の形態１に係る換気扇の側面視の背面図である。
【図４】本発明の実施の形態１に係る換気扇を背面側から見た分解斜視図である。
【図５】本発明の実施の形態１に係る感度調節装置及び感度調節ツマミを示す斜視図である。
【図６】本発明の実施の形態１に係るフランジ部の感度調節装置取付位置近傍を背面側から示す斜視図である。
【図７】本発明の実施の形態１に係るフランジ部の感度調節装置取付位置近傍を背面側から示す斜視図である。
【図８】本発明の実施の形態１に係る感度調節装置の取付構成を背面側から示す分解斜視図である。
【図９】本発明の実施の形態１に係る感度調節装置が取り付けられた状態を示す側面視の断面図である。
【図１０】本発明の実施の形態１に係るフランジ部９の裏面に形成された突起の一例を説明するための説明図である。
【図１１】本発明の実施の形態２に係る換気扇の感度調節装置の取付構成を背面側から示す分解斜視図である。
【図１２】本発明の実施の形態２に係る換気扇の感度調節装置の取付構成を前面側から示す分解斜視図である。
【図１３】本発明の実施の形態２に係る換気扇の感度調節装置が取り付けられた状態を示す側面視の断面図である。
【発明を実施するための形態】
【００１２】
実施の形態１．
以下に、本発明に係る感度調節装置の取付構造の実施の形態の一例について説明する。また、以下では、本発明に係る感度調節装置の取付構造を換気扇に採用した例について説明する。なお、本実施の形態１及び以下の実施の形態により本発明が限定されるものではない。
【００１３】
図１は、本発明の実施の形態１に係る換気扇の側面視の断面図である。図２は、この換気扇の正面図である。図３は、この換気扇の背面図である。また、図４は、この換気扇を背面側から見た分解斜視図である。なお、図１は、図の左側が室内側となっている。以下では、換気扇１００の室内側を正面側又は前面側と称する。
【００１４】
本発明の実施の形態１に係る換気扇１００は、図１に示すように、室内外を連通させ空気の通路となる例えばパイプ１やダクト等の導管に室内側から挿入して装着される。この換気扇１００の本体６は、パイプ１やダクトに挿入する筒状（例えば円筒上）の風洞２を有する樹脂製の本体フレーム３を備えている。本体６には、プロペラ式の羽根車４と電動機５とで構成される送風機が組付けられている。具体的には、送風機は、本体フレーム３の風洞２の室外側に設けられた電動機取付構造部に取り付けられている。
【００１５】
電動機取付構造部は、図１及び図３に示すように、周方向に間隔をおいて風洞２の中心線方向に沿って後方に延出する四本の脚部１１と、各脚部１１の端部から半径方向内側にそれぞれ延びる橋絡部１２と、これら橋絡部１２によって風洞２の中心部に支持された電動機カバー１３とを備えている。四本の脚部１１は、いずれも風洞２の外周より内側にあり、そのうちの一本の外側に、半径方向への拡開弾力により本体６を導管となるパイプ１内やダクト内に弾性保持する反り付きの板バネ１４が装着されている。この電動機取付構造部に電動機５がその外殻のフランジ部をねじ締めされ、回転軸１５が電動機カバー１３の先から風洞２の中心線上に突き出すようになっている。そして、この電動機５の風洞２内の中心線上に延出する回転軸１５に、羽根車４が風洞２内に配置された状態で装着されている。
【００１６】
また、本体フレーム３は、図１に示すように、風洞２の前部の吸込口となるベルマウス形状の開口部８の口縁部に前面構造部が一体に形成されている。前面構造部は、平面部を有し、開口部８の外周から半径方向に張り出す略正方形（丸形でもよい）のフランジ部９と、フランジ部９の外周端から背面側へ向かって突出するフランジ立ち上がり部１０とを備えている。換気扇１００がパイプ１やダクト等の導管に装着された状態においては、このフランジ立ち上がり部１０は、その端面が室内側の壁面に当接する。この前面構造部には、フランジ部９及びフランジ立ち上がり部１０を前面側から覆う化粧パネル７が設けられている。化粧パネル７は、本体６と爪嵌合により取り付けられる。
【００１７】
図３に示すように、フランジ部９の背面には、回転式構造で容易に外部電源電線と接続可能な端子台１７が収納されている。また、図３及び図４に示すように、フランジ部９の背面には、送風機の電動機５の運転を行う（運転及び停止を制御する）運転制御部が実装された電子回路１６も収納されている。そして、電子回路１６は、接触防止のため、その背面側が絶縁カバー１８で覆われている。また、本実施の形態１に係る換気扇１００は、室内の環境を検知するセンサー１９を備えており、センサー１９の出力信号（出力電圧又は出力電流等）に基づいて電動機５の運転を制御する構成となっている。センサー１９は、例えば、室内の湿度を検知する湿度センサー、室内の温度を検知する温度センサー、室内のガスを検知するガスセンサー等である。このセンサー１９も、フランジ部９の背面に収納されている。
【００１８】
さらに、本実施の形態１に係る換気扇１００は、室内のさまざまな環境変化に対応して換気扇１００（より詳しくは電動機５）を自動運転させるため、センサー１９の感度を調節する感度調節装置２０が電子回路１６に実装されている（図４では、感度調節装置２０の調節軸２０ａに取り付けられた感度調節ツマミ２１が図示されている）。なお、センサー１９の感度を調節するとは、例えば、センサー１９の出力信号（出力電圧又は出力電流等）を増幅又は減少させることをいう。また例えば、センサー１９の感度を調節するとは、電動機５の運転及び停止を行う際に電子回路１６の運転制御部がセンサー１９の出力信号と比較する閾値を増加又は減少させることをいう。
【００１９】
続いて、本実施の形態１に係る感度調節装置２０の取付構造の詳細について説明する。
【００２０】
図５は、本発明の実施の形態１に係る感度調節装置及び感度調節ツマミを示す斜視図である。図６及び図７は、本発明の実施の形態１に係るフランジ部の感度調節装置取付位置近傍を背面側から示す斜視図である。図８は、本発明の実施の形態１に係る感度調節装置の取付構成を背面側から示す分解斜視図である。また、図９は、本発明の実施の形態１に係る感度調節装置が取り付けられた状態を示す側面視の断面図である。
【００２１】
電子回路１６に実装される感度調節装置２０は、回転可能な調節軸２０ａを有し、該調節軸２０ａを回転させてセンサー１９の感度を調節する構成となっている。そして、感度調節装置２０の調節軸２０ａには、調節軸２０ａと一体で回転する感度調節ツマミ２１が取り付けられている。具体的には、図５に示すように、調節軸２０ａの先端部は、断面形状がＤ字形状となっている。そして、感度調節ツマミ２１にも、調節軸２０ａの先端部形状に対応して、断面Ｄ字形状の挿入孔が形成されている。このため、感度調節ツマミ２１の断面Ｄ字形状の挿入孔に、断面Ｄ字形状の調節軸２０ａを挿入することにより、調節軸２０ａ及び感度調節ツマミ２１は一体で回転可能となっている。
【００２２】
図６〜図９に示すように、本発明のベース面に相当するフランジ部９には貫通孔９ａが形成されている。そして、図８及び図９に示すように、感度調節ツマミ２１は、フランジ部９の貫通孔９ａに挿入されて、フランジ部９の表面から感度調節ツマミ２１の先端部を突出させる構成となっている。このため、感度調節ツマミ２１、つまり感度調節装置２０の調節軸２０ａを容易に回転させることができる。ここで、本実施の形態１では、感度調節ツマミ２１の基端部等、感度調節ツマミ２１におけるフランジ部９の裏面（背面）側に配置される箇所に、貫通孔９ａよりも直径が大きく感度調節ツマミ２１の本体部と例えば同心円となる円板状の張り出し部２１ａが形成されている。このため、感度調節ツマミ２１が貫通孔９ａから換気扇１００の前面側へ抜け落ちることを防止することができる。
【００２３】
また、図６〜図９に示すように、本実施の形態１においては、フランジ部９の裏面（背面）には、貫通孔９ａの周囲に、張り出し部２１ａと例えば同心円になる円環状のリブ９ｂが形成されている。そして、感度調節装置２０（より詳しくは、感度調節装置２０が実装された電子回路１６）がフランジ部９の裏面（背面）側に取り付けられた状態においては、リブ９ｂが感度調節ツマミ２１の張り出し部２１ａの外周側の側面部を覆う構成となる。このため、リブ９ｂと張り出し部２１ａとにより、感度調節ツマミ２１とフランジ部９との間の隙間を少なくすることができる。したがって、リブ９ｂ及び張り出し部２１ａを設けることにより、感度調節ツマミ２１とフランジ部９との間から埃が侵入することを抑制でき、当該埃によって電子回路１６が故障してしまうことを抑制できる。
【００２４】
また、図５及び図６に示すように、本実施の形態１では、感度調節ツマミ２１の前記張り出し部に突起２１ｃ（本発明の第１の突起に相当）を設け、フランジ部９の裏面（背面）に、感度調節ツマミ２１が所定の回転角度になったときに突起２１ｃと干渉する突起９ｄ（本発明の第２の突起に相当）を設けている。そして、感度調節ツマミ２１と一体で回転する感度調節装置２０の調節軸２０ａの回転可能範囲を、該調節軸２０ａの許容最大回転角度以下に制限している。具体的には、例えば次のように、フランジ部９の裏面（背面）に突起２１ｃを形成している。
【００２５】
図１０は、本発明の実施の形態１に係るフランジ部９の裏面に形成された突起の一例を説明するための説明図である。
図１０に示すように、突起２１ｃは、貫通孔９ａの周辺において円弧状に形成されている。そして、突起２１ｃの突出範囲は、「３６０°−感度調節装置２０の調節軸２０ａの許容最大回転角度」より大きくなる角度となっている。これにより、感度調節ツマミ２１と一体で回転する感度調節装置２０の調節軸２０ａの回転可能範囲を該調節軸２０ａの許容最大回転角度以下に制限できるので、感度調節装置２０の調節軸２０ａが許容最大回転角度よりも大きく回されて過負荷がかかることを防止でき、感度調節装置２０が破壊されてしまうことを防止できる。
【００２６】
なお、本実施の形態１に係る換気扇１００においては、図２に示すように、化粧パネル７で前面側から感度調節ツマミ２１も覆い、感度調節ツマミ２１が外部から見えない構造となっている。このため、本実施の形態１に係る換気扇１００は、意匠性が向上するという効果を得ることもできる。
【００２７】
実施の形態２．
本発明に係る感度調節ツマミの張り出し部及びフランジ部のリブは、実施の形態１で示した構成に限定されるものではない。例えば以下のように、本発明に係る感度調節ツマミの張り出し部及びフランジ部のリブを構成してもよい。なお、本実施の形態２で記載されていない構成は実施の形態１と同様とし、実施の形態１と同様の構成には実施の形態１と同じ符号を付している。
【００２８】
図１１は、本発明の実施の形態２に係る換気扇の感度調節装置の取付構成を背面側から示す分解斜視図である。図１２は、本発明の実施の形態２に係る換気扇の感度調節装置の取付構成を前面側から示す分解斜視図である。また、図１３は、本発明の実施の形態２に係る換気扇の感度調節装置が取り付けられた状態を示す側面視の断面図である。
【００２９】
本実施の形態２に係る感度調節ツマミ２１は、張り出し部２１ａに加え、円環状張り出し部２１ｂを備えている。この円環状張り出し部２１ｂは、例えば張り出し部２１ａと同心円であり、張り出し部２１ａにおけるフランジ部９と対向する側の面に突設されている。ここで、張り出し部２１ａが、本発明における張り出し部の円板部に相当する。また、円環状張り出し部２１ｂが、本発明における張り出し部の円環状張り出し部に相当する。
【００３０】
また、本実施の形態２に係るフランジ部９の裏面（背面）には、本発明に係る張り出し部（具体的には、円環状張り出し部２１ｂ）の外周側側面部を覆うリブ９ｂに加え、張り出し部２１ａと例えば同心円になる円環状のリブ９ｃが形成されている。リブ９ｃは、感度調節ツマミ２１の円環状張り出し部２１ｂの内周側側面部を覆う構成となっている。このように構成することにより、感度調節ツマミ２１とフランジ部９との間から埃が侵入することをさらに抑制でき、当該埃によって電子回路１６が故障してしまうことをさらに抑制できる。
なお、リブ９ｂ及びリブ９ｃのうちの一方のみを設けてもよい。リブ９ｂ及びリブ９ｃのうちの一方のみを設けても、感度調節ツマミ２１とフランジ部９との間から埃が侵入することを実施の形態１と同程度に抑制でき、当該埃によって電子回路１６が故障してしまうことを実施の形態１と同程度に抑制できる。
【００３１】
また、図１２に示すように、本実施の形態２に係るフランジ部９の表面側には、貫通孔９ａの周囲に、感度調節に用いる目盛り９ｅを備えている。目盛り９ｅを備えることにより、目盛り９ｅを目安にして感度調節ツマミ２１（つまり感度調節装置２０の調節軸２０ａ）を回すことができるので、センサー１９の感度調整が容易となる。
なお、実施の形態１で示した換気扇１００に目盛り９ｅを設けても勿論よい。
【産業上の利用可能性】
【００３２】
上記の実施の形態では、本発明に係る感度調節装置の取付構造を換気扇に採用した例について説明した。これに限らず、本発明に係る感度調節装置の取付構造を、その他の送風機及び空気調和機に採用しても勿論よい。つまり、送風機の電動機と、室内の環境を検知するセンサーと、回転可能な調節軸を有し、該調節軸を回転させてセンサーの感度を調節する感度調節装置と、調節軸に取り付けられ、調節軸と一体で回転する感度調節ツマミと、感度調節装置で感度調整後の前記センサーの出力信号に基づいて電動機の運転を行う運転制御部と、を備えた送風機及び空気調和機において、本発明に係る感度調節装置の取付構造を採用しても勿論よい。また、本発明に係る感度調節装置の取付構造を、換気扇、送風機及び空気調和機に関するシステム部材（換気扇、送風機及び空気調和機の一部を構成するユニット）に採用しても勿論よい。上記の実施の形態で説明した効果と同様の効果を得ることができる。
【符号の説明】
【００３３】
１  パイプ、２  風洞、３  本体フレーム、４  羽根車、５  電動機、６  本体、７  化粧パネル、８  開口部、９  フランジ部、９ａ  貫通孔、９ｂ  リブ、９ｃ  リブ、９ｄ  突起、９ｅ  目盛り、１０  フランジ立ち上がり部、１１  脚部、１２  橋絡部、１３  電動機カバー、１４  板バネ、１５  回転軸、１６  電子回路、１７  端子台、１８  絶縁カバー、１９  センサー、２０  感度調節装置、２０ａ  調節軸、２１  感度調節ツマミ、２１ａ  張り出し部、２１ｂ  円環状張り出し部、２１ｃ  突起、１００  換気扇。
【図１】
2015178934.tif 000003
【図２】
2015178934.tif 000004
【図３】
2015178934.tif 000005
【図４】
2015178934.tif 000006
【図５】
2015178934.tif 000007
【図６】
2015178934.tif 000008
【図７】
2015178934.tif 000009
【図８】
2015178934.tif 000010
【図９】
2015178934.tif 000011
【図１０】
2015178934.tif 000012
【図１１】
2015178934.tif 000013
【図１２】
2015178934.tif 000014
【図１３】
2015178934.tif 000015